(57)【要約】【課題】原稿の角折れによる画像の欠損をできるだけ少なくできる画像読取装置を提供する。【解決手段】搬送しながら原稿の表裏両面を読み取る画像読取装置に、原稿の搬送方向に直交する多数の検出位置において前記原稿の有無を検出する通過センサを有し、原稿の外形形状の欠損部を検知する欠損検知手段と、読み取った原稿の画像から欠損部が谷型の角折れである場合に発生する内向きの角のエッジの影を、原稿の外形形状が長方形であると仮定して算出した折り返した原稿の欠損部の角の位置と照合して検出する谷折れ検出手段と、エッジの影の外側の画像を、谷型の角折れを検出した面の反対面の画像に付加する復元手段とを設ける。【選択図】図３
2010160611.tif 000002
【特許請求の範囲】
【請求項１】
搬送しながら原稿の表裏両面を読み取る画像読取装置において、
前記原稿の外形形状の欠損部を検知する欠損検知手段と、
読み取った前記原稿の画像から前記欠損部が谷型の角折れである場合に発生する内向きの角のエッジの影を検出する谷折れ検出手段と、
前記エッジの影の外側の画像を、谷型の角折れを検出した面の反対面の画像に付加する復元手段とを有することを特徴とする画像読取装置。
【請求項２】
前記欠損検知手段は、前記原稿の搬送方向に直交する多数の検出位置において前記原稿の有無を検出する通過センサを有することを特徴とする請求項１に記載の画像読取装置。
【請求項３】
前記谷折れ検出手段は、前記原稿の外形形状が長方形であると仮定して、折り返した前記原稿の角の位置を算出することを特徴とする請求項１または２に記載の画像読取装置。
【請求項４】
前記谷折れ検出手段が前記原稿の表面に前記エッジの影を検出した場合、その旨を表示する谷折れ表示手段をさらに有することを特徴とする請求項１から３のいずれかに記載の画像読取装置。
【発明の詳細な説明】
【技術分野】
【０００１】
本発明は、画像読取装置に関する。
【背景技術】
【０００２】
原稿を自動的に搬送しながら表裏両面の画像を読み取る画像読取装置が知られている。ユーザは、多数の原稿の中で特に関心のある原稿等に目印として原稿の角を折る場合があり、そのような角折れ原稿を含む原稿束を画像読取装置にセットして自動給紙によって画像を読み取らせることもある。すると、原稿の角が折られたまま搬送され、角が欠損した画像が読み取られる。
【０００３】
特許文献１には、角折れ原稿の折り返し線上に発生する影やステープラの像を除去するために、原稿の角部分の画像を予め準備した画像に置き換える画像読取装置が記載されている。
【先行技術文献】
【特許文献】
【０００４】
【特許文献１】特開２００５−１３６５７９号公報
【発明の概要】
【発明が解決しようとする課題】
【０００５】
角折れ原稿を読み取った画像の問題は、そのような不要な影（ゴミ）の存在だけでなく、角折れ部分に元来存在する画像情報が欠損していることにもある。原稿の中には、余白の小さいものや、余白部分に原稿の出自に関する情報などが記載されているものも少なくないので、角折れ部分の画像情報の欠損は大きな欠陥となり得る。
【０００６】
前記問題点に鑑みて、原稿の角折れによる画像の欠損をできるだけ少なくできる画像読取装置を提供することを課題とする。
【課題を解決するための手段】
【０００７】
前記課題を解決するために、本発明による画像読取装置は、搬送しながら原稿の表裏両面を読み取る画像読取装置において、前記原稿の外形形状の欠損部を検知する欠損検知手段と、読み取った前記原稿の画像から前記欠損部が谷型の角折れである場合に発生する内向きの角のエッジの影を検出する谷折れ検出手段と、前記エッジの影の外側の画像を、谷型の角折れを検出した面の反対面の画像に付加する復元手段を有するものとする。
【０００８】
角折れ原稿の谷折れ側には、山折れ側の欠損部の画像情報が存在するため、谷折りされた角のエッジの影を検出することで、山折りされた反対面の欠損部の画像情報を抽出し、反対面の画像を補完することで、角折れ原稿の片面の画像情報の欠損をなくすことができる。
【０００９】
また、本発明の画像読取装置において、前記欠損検知手段は、前記原稿の搬送方向に直交する多数の検出位置において前記原稿の有無を検出する通過センサを有してもよい。
【００１０】
この構成によれば、通過センサの原稿検出タイミングのずれによって、角折れの存在を容易に検知できる。
【００１１】
また、本発明の画像読取装置において、前記谷折れ検出手段は、前記原稿の外形形状が長方形であると仮定して、折り返した前記原稿の角の位置を算出してもよい。
【００１２】
この構成によれば、内向きの角のエッジの影が発生する位置を予測するので、読み取った画像中の黒い線が、内向きの角のエッジの影であるか、原稿本来の画像の一部であるかを容易に判別できる。
【００１３】
また、本発明の画像読取装置は、前記谷折れ検出手段が前記原稿の表面に前記エッジの影を検出した場合、その旨を表示する谷折れ表示手段をさらに有してもよい。
【００１４】
この構成によれば、片面原稿の読み取りにおいて、表面に復元不能な谷型の角折れがあったことをユーザに知らせることができる。これにより、ユーザは、重大な画像の欠損がないかを確認する場合にも、谷折れであった旨の表示がなされた特定の原稿だけをチェックすればよい。
【発明の効果】
【００１５】
以上のように、本発明によれば、谷折れされた角のエッジの影を検出することで、角のエッジの影の外側の画像情報を抽出し、反対面の画像の欠損部を補完する。このため、角折れ原稿の山折りされた面の画像情報の欠損をなくすことができる。
【図面の簡単な説明】
【００１６】
【図１】本発明の１つの実施形態の画像読取装置の概略構成図である。
【図２】図１の画像読取装置の通過センサの配置を示す概略図である。
【図３】図１の画像読取装置による読取画像の補正処理前後を示す図である。
【図４】図２の通過センサの代案に係る読取画像を示す図である。
【発明を実施するための形態】
【００１７】
これより、本発明の実施形態について、図面を参照しながら説明する。図１に、本発明の１つの実施形態の画像読取装置１の構成を示す。
【００１８】
画像読取装置１は、原稿積載部２に原稿Ｐを載置すれば、自動給紙部３によって原稿Ｐを１枚ずつ自動搬送し、画像読取部４において表裏両面の画像を読み取って、排紙部５に排出することができるようになっている。
【００１９】
自動給紙部３は、重ねて載置された原稿Ｐを上から順に１枚ずつ取り出すピックアップローラ６と、１枚ずつ取り出された原稿Ｐを画像読取部４に搬送する搬送ローラ７，８とからなる。
【００２０】
画像読取部４は、自動給紙部３から供給された原稿Ｐを確認する通過センサ９と、原稿Ｐの表面の画像を読み取る表面画像センサ１０および原稿Ｐの裏面の画像を読み取る裏面画像センサ１１と、表裏の画像を読み取った原稿Ｐを排紙部５に排出する排紙ローラ１２とを有する。また、画像読取部４は、その上面に原稿Ｐを密着させることで、原稿Ｐを表面画像センサ１０の焦点位置に配置する読取ガラス１３と、原稿Ｐを読取ガラス１３に押圧する読取ガイド１４とを有する。
【００２１】
また、画像読取装置１は、表示パネル１５および操作ボタン１６を備える操作部１７を有する。
【００２２】
通過センサ９は、図２に示すように、原稿Ｐの搬送方向に直交する方向に並んで多数配設されたセンサ１８の列である。各センサ１８は、それぞれの検出位置において、原稿Ｐを検出すると「ＯＮ」信号を出力する。
【００２３】
角ＡＢＣＤを有する長方形の原稿Ｐが画像読取部４に供給されると、通常、用紙幅ＡＤの内側にあるセンサ１８は、略同時に「オン」する。しかしながら、図示するように、原稿Ｐの角Ｄの部分が折れ線Ｐ１−Ｐ２において角折れしていると、角Ｄ近傍のセンサ１８は、他のセンサ１８に遅れて「ＯＮ」する。つまり、画像読取装置１は、センサ１８の「ＯＮ」するタイミングのずれから、原稿Ｐの角が欠損していることを検知できる（欠損検知手段）。
【００２４】
また、画像読取装置１は、原稿Ｐの角の欠損を検知したときは、センサ１８の「ＯＮ」するタイミングのずれから、折れ線Ｐ１−Ｐ２の位置を算出する。そして、画像形成装置１は、原稿Ｐの外形形状が長方形ＡＢＣＤであるものとして、角Ｄを線Ｐ１−Ｐ２で折り返した位置を算出し、折り返した原稿Ｐのエッジの線Ｄ１−Ｐおよび線Ｐ２−Ｄを予測する。
【００２５】
図３上段に、画像読取装置１による原稿Ｐの読取画像の例を示す。この原稿Ｐは、右上の角が裏側に折り返されている。つまり、原稿Ｐは、表面を山、裏面を谷にして角折れしている。図示するように、原稿Ｐの表面を読み取った画像は、右上の角が欠損しており、原稿Ｐの裏面を読み取った画像は、左上の角が欠損し、欠損部の内側に折り返されたエッジの影が映り込んでいる。
【００２６】
画像読取装置１は、この表裏の読取画像を画像処理し、通過センサ９の検出タイミングから算出した折り返しエッジの位置に略一致する位置に黒い線が存在する画像が検出できた場合、その原稿Ｐは、角折れによって見かけ上角が欠損した原稿であり、エッジの影えお検出した画像を谷折れである面の画像と、反対面の画像を山折れである面の画像と認識する（谷折れ検出手段）。画像読取装置１は、もしも、いずれの画像にも予測した位置に黒い線が存在しない場合は、その原稿Ｐが角折れによって見かけ上角が欠損した原稿ではなく、角が欠損した原稿であると認識する。
【００２７】
画像読取装置１は、読取画像から角折れしたエッジの影を検出したなら、そのエッジの影の外側の直角三角形の領域（Ｄ−Ｐ１−Ｐ２）の画像データを、斜辺（Ｐ１−Ｐ２）を中心に反転させた画像を生成し、反対側の山折れ側の画像の角折れによる欠損部に付加する（図３下段）。これによって、山折れ側の面の画像を角折れによる画像の欠損のない状態に復元できる（復元手段）。
【００２８】
谷折れ側の画像は、補完することができないのでそのままにしてもよいし、検出した角折れ部分のエッジの外側の画像を消去してもよい。
【００２９】
また、画像読取装置１は、ユーザが操作部１７の操作ボタン１６によって、原稿Ｐが片面のみに有用な画像を有する片面原稿であるか、両面に画像を有する両面原稿であるかを入力することができるようになっている。
【００３０】
画像読取装置１は、片面原稿の読み取りに際しても、原稿Ｐの両面を読み取り、表面が山折れである場合には、欠損部の画像を裏面の画像によって補完する。しかしながら、表面を谷にした角折れである場合、つまり、表面に折り返しエッジの影を検出した場合には、表面の画像を補完できないので、表示パネル１５にその旨を表示する（谷折れ表示手段）。
【００３１】
これにより、ユーザは、原稿の角が表面を谷にして角折れし、角折れによる欠損部の情報を復元できない原稿が混入していた場合、それが何ページ目の原稿であったかを確認できる。ユーザは、角折れによって重要な情報が判読不能になっていないかどうか確認する場合は、表示パネルに表示されたページのみを確認すればよい。
【００３２】
また、通過センサ９による原稿Ｐの欠損部の検知（欠損検知手段）の代案として、読取ガイド１４を白以外の色（例えば黒）にして、画像処理によって欠損部を検知するようにしてもよい。原稿Ｐの地色は通常白色であるので、読取ガイド１４を白以外の色にすれば、原稿Ｐの地色と読取ガイド１４の色との区別が容易である。よって、図４に示すように、読取画像中に読取ガイド１４の色として認識される直角三角形の欠損部を画像処理によって検出することが可能である。
【００３３】
尚、上述の実施形態では、表面画像センサ１０と裏面画像センサ１１とを有し、１パスで原稿Ｐの表裏両面の画像を読み取るが、本発明は、原稿Ｐの片面を読み取ってから反転供給して他面を読み取る画像読取装置にも適用できる。
【符号の説明】
【００３４】
１…画像読取装置
３…自動給紙部
４…画像読取部
９…通過センサ
１０…表面画像センサ
１１…裏面画像センサ
１３…読取ガラス
１４…読取ガイド
１５…表示パネル
１８…センサ
Ｐ…原稿
【図１】
2010160611.tif 000003
【図２】
2010160611.tif 000004
【図３】
2010160611.tif 000005
【図４】
2010160611.tif 000006